(57)【特許請求の範囲】
【請求項１】
先端部に針先を形成したカンチレバーと、前記針先に追従して変位するコイル又は磁石とを有するピックアップ装置において、
コイルの場合は、当該コイルで囲まれた領域の中央であってコイルの奥行き方向の中央である中心位置を支点として変位するように支持されており、磁石の場合は、当該磁石の中心位置、環状の磁石の中央であって当該磁石の厚さ方向の中央である中心位置、若しくは距離を隔てて環状に配置した複数の磁石の中央であって各磁石の厚さ方向の中央である中心位置を支点として変位するように支持されていることを特徴とするピックアップ装置。
【請求項２】
前記コイル又は磁石は、前記カンチレバーの基端部に連接したホルダーに配設されていることを特徴とする請求項１記載のピックアップ装置。
【請求項３】
前記ホルダーには、前記当該磁石の中心位置を除くいずれかの中心位置にその先端部を位置させた支持溝が形成されており、ホルダーは、前記支持溝の先端部に当接させた支持体で支持されていることを特徴とする請求項２記載のピックアップ装置。
【請求項４】
前記支持体は、前記支持溝の先端部に向けて進退移動できることを特徴とする請求項３記載のピックアップ装置。
【請求項５】
前記支持溝は、表面に補強体が被覆されていることを特徴とする請求項３又は請求項４記載のピックアップ装置。
【請求項６】
前記コイル又は磁石は、前記コイル又は磁石の中心部が弾性体で支持されているとともに、前記コイル又は磁石の中心の周辺部が前記弾性体よりも柔らかい弾性体で支持されていることを特徴とする請求項１記載のピックアップ装置。
【請求項７】
前記コイル又は磁石は、一対の左チャンネル用コイル又は磁石と右チャンネル用コイル又は磁石とを有することを特徴とする請求項１〜請求項６のいずれかに記載のピックアップ装置。
【請求項８】
前記コイルは、一対の左チャンネル用コイルと右チャンネル用コイルとを各コイルで囲まれる領域それぞれの中心を一致させた状態で前記ホルダーに巻回したことを特徴とする請求項２〜請求項５のいずれかに記載のピックアップ装置。
【発明の詳細な説明】
【発明の属する技術分野】
【０００１】
本発明は、レコード盤に記録された音声を再生する際に使用するピックアップ装置に関するものである。
【従来の技術】
【０００２】
代表的な従来のピックアップ装置は、日本国特許公報特開平１−２１２０９９号に開示されている。
【０００３】
このピックアップ装置200は、図20及び図21に示すように、前後に伸延させた棒状の磁石201の前端部に板状のフロントヨーク202の上端部を取付ける一方、磁石201の後端部に板状のリヤヨーク203の上端部を取付け、同リヤヨーク203の下端部に前後に伸延させた支持ヨーク204の基端部を取付け、同支持ヨーク204の先端部にホルダー205をゴム製のダンパー206を介して変位自在に取付け、同ホルダー205に前後に伸延させたカンチレバー207を取付け、同カンチレバー207の先端部に針先208を形成しており、ホルダー205には、コイル209を巻回していた。図中、210はカンチレバー207を挿通させるためにフロントヨーク202に形成した挿通孔であり、211はカンチレバー207の基端部とリヤヨーク203との間に張設したテンションワイヤーであり、212はテンションワイヤー211の張力を調整するための調整ネジである。
【０００４】
そして、ピックアップ装置200は、レコード盤に形成したレコード溝に針先208を当接させ、レコード溝の凹凸に沿ってカンチレバー207が変位し、それに伴ってホルダー205及びコイル209が変位し、かかるコイル209の変位から磁石201の作用で電気信号に変換するようにしていた。
【発明が解決しようとする課題】
【０００５】
ところが、上記従来のピックアップ装置200にあっては、支持ヨーク204にホルダー205をダンパー206を介して変位自在に取付けていたため、レコード溝の凹凸に沿ってホルダー205及びコイル209が変位する際には、ダンパー206を支点としてコイル209が変位するようになっており、コイル209の中心と支点とが異なっていた。
【０００６】
そのため、コイル209の変位がレコード溝の凹凸に完全に追従したものとはなっておらず、これにより、レコード盤に記録された音声を忠実に再現することができなかった。
【０００７】
また、コイル209の変位する際の支点とコイル209の中心とがずれていることから、コイル209の変位から電気信号に変換する際に損失が生じてしまい、発電効率が低減していた。
【０００８】
しかも、かかる発電効率の低減を防止するためにホルダー205に磁性体を使用しなければならなくなり、ホルダー205自体の重量が増加してしまい、ホルダー205の自重によってホルダー205が円滑に変位しなくなり、また、ホルダー205として磁性体を使用した場合には、ホルダー205に磁石201の磁力が作用してしまい、かかる磁力201の作用によってもホルダー205が円滑に変位しなくなり、これらの理由によってもコイル209の変位がレコード溝の凹凸に完全に追従したものとはならなくなり、レコード盤に記録された音声を忠実に再現することができなかった。さらには、ホルダー205として磁性体を使用した場合には、ピックアップ装置200のコストが増大していた。
【課題を解決するための手段】
【０００９】
そこで、請求項１に係る本発明は、先端部に針先を形成したカンチレバーと、前記針先に追従して変位するコイル又は磁石とを有するピックアップ装置において、コイルの場合は、当該コイルで囲まれた領域の中央であってコイルの奥行き方向の中央である中心位置を支点として変位するように支持されており、磁石の場合は、当該磁石の中心位置、環状の磁石の中央であって当該磁石の厚さ方向の中央である中心位置、若しくは距離を隔てて環状に配置した複数の磁石の中央であって各磁石の厚さ方向の中央である中心位置を支点として変位するように支持されていることを特徴とするピックアップ装置を提供するものである。
【００１０】
また、請求項２に係る本発明は、前記請求項１に係る本発明において、前記コイル又は磁石は、前記カンチレバーの基端部に連設したホルダーに配設されていることを特徴とするピックアップ装置を提供するものである。
【００１１】
また、請求項３に係る本発明では、前記請求項２に係る本発明において、前記ホルダーには、前記当該磁石の中心位置を除くいずれかの中心位置にその先端部を位置させた支持溝が形成されており、ホルダーは、前記支持溝の先端部に当接させた支持体で支持されていることを特徴とするピックアップ装置を提供するものである。
【００１２】
また、請求項４に係る本発明では、前記請求項３に係る本発明において、前記支持体は、前記支持溝の先端部に向けて進退移動できることを特徴とするピックアップ装置を提供するものである。
【００１３】
また、請求項５に係る本発明では、前記請求項３又は請求項４に係る本発明において、前記支持溝は、表面に補強体が被覆されていることを特徴とするピックアップ装置を提供するものである。
【００１４】
また、請求項６に係る本発明では、前記請求項１に係る本発明において、前記コイル又は磁石は、前記コイル又は磁石の中心部が弾性体で支持されているとともに、前記コイル又は磁石の中心の周辺部が前記弾性体よりも柔らかい弾性体で支持されていることを特徴とするピックアップ装置を提供するものである。
【００１５】
また、請求項７に係る本発明では、前記請求項１〜請求項６に係る本発明において、前記コイル又は磁石は、一対の左チャンネル用コイル又は磁石と右チャンネル用コイル又は磁石とを有することを特徴とするピックアップ装置を提供するものである。
【００１６】
また、請求項８に係る本発明では、前記コイルは、一対の左チャンネル用コイルと右チャンネル用コイルとを各コイルで囲まれる領域それぞれの中心を一致させた状態で前記ホルダーに巻回したことを特徴とするピックアップ装置を提供するものである。
【発明の実施の形態】
【００１７】
本発明に係るピックアップ装置は、レコード盤に記録された音声を再生する際に使用するものであり、先端部に針先を形成したカンチレバーの基端部をホルダーに連設するとともに、同ホルダーにコイル又は磁石を配設し、レコード盤に形成したレコード溝に当接させた針先がレコード溝の凹凸に沿って変位する際に、針先に追従してホルダーが変位するように支持して、ホルダーの変位に伴うコイルや磁石の変位を電気信号に変換するようにしたものである。
【００１８】
しかも、本発明に係るピックアップ装置では、コイルの場合は、当該コイルで囲まれた領域の中心位置を支点として、磁石の場合は、当該磁石の中心位置、環状の磁石の中央であって当該磁石の厚さ方向の中央である中心位置、若しくは距離を隔てて環状に配置した複数の磁石の中央であって各磁石の厚さ方向の中央である中心位置を支点として、ホルダーが変位するようにしたものである。
【００１９】
このように、本発明に係るピックアップ装置では、コイルの場合は、当該コイルで囲まれた領域の中心位置を支点として、磁石の場合は、当該磁石の中心位置、環状の磁石の中央であって当該磁石の厚さ方向の中央である中心位置、若しくは距離を隔てて環状に配置した複数の磁石の中央であって各磁石の厚さ方向の中央である中心位置を支点として、ホルダーが変位するため、レコード溝の凹凸に沿ってホルダーに設けたコイル又は磁石が変位する際に、コイルの場合は、当該コイルで囲まれた領域の中心と支点とが一致しており、磁石の場合は、当該磁石の中心、環状の磁石の中央であって当該磁石の厚さ方向の中央である中心、若しくは距離を隔てて環状に配置した複数の磁石の中央であって各磁石の厚さ方向の中央である中心と支点とが一致しており、コイル又は磁石の変位をレコード溝の凹凸に完全に追従させることができ、これにより、レコード盤に記録された音声を忠実に再現することができる。
【００２０】
しかも、コイル又は磁石が変位する際の支点と、コイルの場合は、当該コイルで囲まれた領域の中心とが一致し、磁石の場合は、当該磁石の中心、環状の磁石の中央であって当該磁石の厚さ方向の中央である中心、若しくは距離を隔てて環状に配置した複数の磁石の中央であって各磁石の厚さ方向の中央である中心とが一致していることから、コイル又は磁石の変位から電気信号に変換する際に生じる損失を可及的に低減することができ、発電効率を向上させることができる。
【００２１】
また、発電効率を向上させることができるために、ホルダーに磁性体を使用しなくてもよくなり、ピックアップ装置のコストを増大させることがなく、また、ホルダー自体の重量を低減させることができ、ホルダーを円滑に変位させることができるので、コイル又は磁石の変位をレコード溝の凹凸に完全に追従させることができ、これによってもレコード盤に記録された音声を忠実に再現することができる。
【００２２】
特に、本発明に係るピックアップ装置では、ホルダーの前面にカンチレバーの基端部を取付ける一方、ホルダーの後面に先端部が前記当該磁石の中心位置を除くいずれかの中心位置に位置する支持溝を形成して、同支持溝の先端部に当接させた支持体でホルダーを支持するようにしている。
【００２３】
そのため、ピックアップ装置におけるホルダーの支持構造を簡単なものとすることができ、ピックアップ装置の組立作業性やメンテナンス作業性を向上させることができる。
【００２４】
また、支持体を支持溝の先端部に向けて進退移動することによって当接力を調節できるようにした場合には、ピックアップ装置のメンテナンス作業性を向上させることができる。
【００２５】
また、支持溝の表面に補強体を被覆した場合には、ホルダーの変位によって支持溝の表面が磨耗して変形してしまうのを未然に防止することができ、長期間にわたってコイル又は磁石の変位をレコード溝の凹凸に追従させることができ、ピックアップ装置の長寿命化を図ることができる。
【００２６】
また、コイル又は磁石として一対の左チャンネル用コイル又は磁石と右チャンネル用コイル又は磁石を用いた場合には、レコード盤のレコード溝に記録されたステレオ音声を左右のチャンネルとも忠実に再現することができる。
【００２７】
なお、本発明では、ホルダーに磁石を配設したものに限られず、ホルダーと磁石とを一体化させた構造としたもの、すなわち、先端部に針先を形成したカンチレバーの基端部を磁石に連設し、針先に追従して磁石が変位すべく支持してなるピックアップ装置であって、磁石は、同磁石の中心位置を支点として変位すべく構成したものも含まれる。
【００２８】
その場合であっても、磁石が中心位置を支点として変位するため、レコード溝の凹凸に沿って磁石が変位する際に、磁石の中心と支点とが一致しており、磁石の変位をレコード溝の凹凸に完全に追従させることができこれにより、レコード盤に記録された音声を忠実に再現することができる。
【００２９】
しかも、磁石が変位する際の支点と磁石の中心とが一致していることから、磁石の変位から電気信号に変換する際に生じる損失を可及的に低減することができ、発電効率を向上させることができる。
【００３０】
特に、磁石に先端部を磁石の中心に位置させた支持溝を形成して、同支持溝の先端部に当接させた支持体で磁石を変位可能に支持するようにした場合には、ピックアップ装置における磁石の支持構造を簡単なものとすることができ、ピックアップ装置の組立作業性やメンテナンス作業性を向上させることができる。
【００３１】
また、支持体を支持溝の先端部に向けて進退移動することによって当接力を調節できるようにした場合には、ピックアップ装置のメンテナンス作業性を向上させることができる。
【００３２】
また、支持溝の表面に補強体を被覆した場合には、磁石の変位によって支持溝の表面が磨耗して変形してしまうのを未然に防止することができ、長期間にわたって磁石の変位をレコード溝の凹凸に追従させることができ、ピックアップ装置の長寿命化を図ることができる。
【００３３】
以下に、本発明の具体的な実施例について図面を参照しながら説明する。
【００３４】
（第１実施例）
図１は、本発明の第１実施例としてのピックアップ装置１を示した図であり、同ピックアップ装置１は、前後に伸延させた棒状の磁石２の前端部に板状のフロントヨーク３の上端部を取付けるとともに、磁石２の後端部に板状のリヤヨーク４の上端部を取付け、同リヤヨーク４の下端部前側に前後に伸延させた支持ヨーク５の基端部を取付ける一方、フロントヨーク３の下端部後側にホルダー６をリング状のゴム製のダンパー７を介して変位自在に取付けており、同ホルダー６は、支持溝８に当接させた支持体９で支持されている。
【００３５】
ホルダー６は、図１〜図３に示すように、略矩形箱型状に形成しており、先端部に針先10を形成したカンチレバー11の基端部を前面中央に取付け、外周面に一対の左チャンネル用コイル12と右チャンネル用コイル13とからなるコイル14を巻回し、さらには、後面に支持体９の先端が当接する支持溝８を形成している。図中、15はカンチレバー11を挿通するためにフロントヨーク３に穿設した挿通孔である。
【００３６】
かかる支持溝８は、略円錐形状に形成しており、その先端をホルダー６に巻回したコイル14の中心（ここでは、左チャンネル用コイル12の中心、かつ、右チャンネル用コイル13の中心）に位置させている。
【００３７】
一方、支持体９は、支持ヨーク５に前後方向へ向けて進退移動自在に螺設しており、先端部を先鋭状に形成している。図中、16は支持体９を回動することによって進退移動させるためにリヤヨーク４に穿設した貫通孔である。
【００３８】
そして、支持体９の先端をホルダー６の後面に刻設した支持溝８の先端に当接させることによって、支持体９でホルダー６を変位自在に支持している。
【００３９】
そのため、ホルダー６は、支持溝８の先端（かつ、支持体９の先端）を支点として変位することになる。なお、ホルダー６とともにカンチレバー11やコイル14も同時に変位する。
【００４０】
したがって、ホルダー６（カンチレバー11、コイル14）は、変位時の支点となる支持溝８の先端をコイル14の中心に位置させているため、コイル14の中心位置を支点として変位することになる。
【００４１】
なお、ホルダー６は、図17に示すように、支持溝８の先端部に細孔8'を形成して、その細孔8'に支持体９の先端を挿入した状態で支持体９でホルダー６を支持するようにすることもできる。
【００４２】
このように、ピックアップ装置１は、ホルダー６がコイル14の中心位置を支点として変位するように構成しているため、レコード盤に形成したレコード溝の凹凸に沿ってカンチレバー11とともにホルダー６が変位する際に、ホルダー６の支点の位置とコイル14の中心の位置とが一致していることから、コイル14の変位をレコード溝の凹凸に完全に追従させることができ、これにより、レコード盤に記録された音声を忠実に再現することができ、しかも、コイル14の変位から電気信号に変換する際に生じる損失を可及的に低減することができ、ピックアップ装置１の発電効率を向上させることができる。
【００４３】
特に、本実施例では、ホルダー６の前面にカンチレバー11の基端部を取付ける一方、ホルダー６の後面に先端部がコイル14の中心に位置する支持溝８を形成して、同支持溝８の先端部に当接させた支持体９でホルダー６を支持するようにしているため、ピックアップ装置１におけるホルダー６の支持構造を簡単なものとすることができ、ピックアップ装置１の組立作業性やメンテナンス作業性を向上させることができる。
【００４４】
また、本実施例では、支持体９を支持溝８の先端部に向けて進退移動できるようにしているため、支持体９を進退させることによってホルダー６への当接力を調節することができ、ピックアップ装置１のメンテナンス作業性を向上させることができる。
【００４５】
さらに、本実施例では、コイル14として一対の左チャンネル用コイル12と右チャンネル用コイル13を用いているため、レコード盤のレコード溝に記録されたステレオ音声を左右のチャンネルとも忠実に再現することができる。
【００４６】
（第２実施例）
図４は、第２実施例としてのホルダー17を示した図であり、本実施例では、ホルダー17に１個のコイル18を巻回してモノラル音声仕様としたものである。
本実施例でも、第１実施例と同様に、ホルダー17の前面にカンチレバー19の基端部を取付ける一方、後面に先端部がコイル18の中心に位置する支持溝20を形成している。図中、21はカンチレバー19の先端部に形成した針先である。
【００４７】
（第３実施例）
図５は、第３実施例としてのホルダー22を示した図であり、本実施例では、ホルダー22の後面に一対の左チャンネル用コイル24と右チャンネル用コイル25とからなるコイル26を埋設している。なお、本実施例の構造は、後述する第５実施例（図７参照）や第６実施例（図８参照）のように、ホルダー22の横方向又は縦方向にヨークを配置する場合に有利な構造となっている。
【００４８】
本実施例でも、第１実施例と同様に、ホルダー22の前面にカンチレバー27の基端部を取付ける一方、後面に先端部がコイル26の中心に位置する支持溝29を形成している。図中、28はカンチレバー27の先端部に形成した針先である。
【００４９】
（第４実施例）
図６は、第４実施例としてのホルダー30を示した図であり、本実施例では、ホルダー30に後面側から連結体31を取付け、同連結体31の前端部にカンチレバー32の基端部を取付ける一方、連結体31の後端部に略円錐状の支持溝33を刻設し、さらには、支持溝33に略円錐状の金属製の補強体34を覆設して、支持溝33の表面を補強体34で被覆している。図中、35はカンチレバー32の先端部に形成した針先である。
【００５０】
このように、本実施例では、支持溝33の表面に補強体34を被覆しているため、ホルダー30の変位によって支持溝33の表面が磨耗して変形してしまうのを未然に防止することができ、長期間にわたってホルダー30の変位をレコード溝の凹凸に追従させることができ、ピックアップ装置１の長寿命化を図ることができる。
【００５１】
（第５実施例）
図７は、第５実施例としてのピックアップ装置36を示した図であり、同ピックアップ装置36は、左右に伸延させた棒状の磁石37の右端部及び左端部に一対の先端を内側に向けて折曲させた板状のヨーク38,39の基端部を取付け、これら左右のヨーク38,39の中途部間に左右に伸延させた連結体40を架設し、同連結体40の中央に支持体41を前後方向に向けて進退移動可能に螺設する一方、左右のヨーク38,39の前端部にカバー42を取付け、同カバー42の中央後部にホルダー43をリング状のゴム製のダンパー44を介して変位自在に取付け、同ホルダー43の前面にカンチレバー45を取付けるとともに、ホルダー43の後面に略円錐状の支持溝46を形成し、同支持溝46の先端に支持体41の先端を当接させることによって支持体41でホルダー43を変位自在に支持している。図中、47はカンチレバー19の先端下部に形成した針先、48は挿通孔である。
【００５２】
本実施例においても、ホルダー43の外周にコイル（図示省略）を巻回しており、ホルダー43に形成した支持溝46の先端をコイルの中心に位置させている。
【００５３】
（第６実施例）
図８は、第６実施例としてのピックアップ装置49を示した図であり、同ピックアップ装置49は、ケーシング50の内部に上下に伸延させた棒状の磁石51を収容配設し、同磁石51の上端部及び下端部に一対の先端を内側に向けて折曲させた板状のヨーク52,53の基端部を取付け、これら上下のヨーク52,53の先端部間に上下に伸延させた連結体54を跨設し、同連結体54の中央に支持体55を前後方向に向けて進退移動可能に螺設する一方、ケーシング50の前端下部にホルダー56をリング状のゴム製のダンパー57を介して変位自在に取付け、同ホルダー56の前面にカンチレバー58を取付けるとともに、ホルダー56の後面に略円錐状の支持溝59を形成し、同支持溝59の先端に支持体55の先端を当接させることによって支持体55でホルダー56を変位自在に支持している。図中、60は針先、61は挿通孔、62は接続端子、63はコイルと接続端子62とを接続するリード線である。
【００５４】
本実施例においても、ホルダー56の外周にコイル（図示省略）を巻回しており、ホルダー56に形成した支持溝59の先端をコイルの中心に位置させている。
【００５５】
（第７実施例）
図９は、第７実施例としてのカートリッジ式のピックアップ装置64を示した図であり、同ピックアップ装置64は、ケーシング65の内部に四つ叉状のヨーク66を収容配設し、同ヨーク66の中途部に４個のコイル67を巻回し（図12参照）、一方、ケーシング65の前端下部にカートリッジ68を着脱自在に配設している。図中、82は接続端子、83はリード線である。
【００５６】
カートリッジ68は、中空部69の後壁70に支持体71を前後方向に向けて進退移動自在に螺設する一方、中空部69の前壁72の後部にホルダー73をリング状のゴム製のダンパー74を介して変位自在に取付けている。図中、84は針先、85は挿通孔である。
【００５７】
ホルダー73は、図９〜図11に示すように、前面にカンチレバー75の基端部を取付ける一方、後面に略円錐状の支持溝76を刻設し、さらには、中央部に一対の左チャンネル用磁石77,77と右チャンネル用磁石78,78とからなる磁石79を埋設している。
【００５８】
かかる支持溝76は、先端をホルダー73に埋設した磁石79の中心（ここでは、左チャンネル用磁石77,77の中心、かつ、右チャンネル用磁石78,78の中心）に位置させている。
【００５９】
また、磁石79は、ケーシング65にカートリッジ68を装着した状態で、左チャンネル用ヨーク80,80の先端部間に一対の左チャンネル用磁石77,77が位置するとともに、右チャンネル用ヨーク81,81の先端部間に一対の右チャンネル用磁石78,78が位置するようにしている。
【００６０】
そして、支持体71の先端をホルダー73の後面に形成した支持溝76の先端に当接させることによって、支持体71でホルダー73を変位自在に支持している。
【００６１】
そのため、ホルダー73は、支持溝76の先端（かつ、支持体71の先端）を支点として変位することになる。なお、ホルダー73とともにカンチレバー75や磁石79も同時に変位する。
【００６２】
したがって、ホルダー73（カンチレバー75、磁石79）は、変位時の支点となる支持溝76の先端を磁石79の中心に位置させているため、磁石79の中心位置を支点として変位することになる。
【００６３】
このように、ピックアップ装置64は、ホルダー73が磁石79の中心位置を支点として変位するように構成しているため、レコード盤に形成したレコード溝の凹凸に沿ってカンチレバー75とともにホルダー73が変位する際に、ホルダー73の支点の位置と磁石79の中心の位置とが一致していることから、磁石79の変位をレコード溝の凹凸に完全に追従させることができ、これにより、レコード盤に記録された音声を忠実に再現することができ、しかも、磁石79の変位から電気信号に変換する際に生じる損失を可及的に低減することができ、ピックアップ装置64の発電効率を向上させることができる。
【００６４】
特に、本実施例では、ホルダー73の前面にカンチレバー75の基端部を取付ける一方、ホルダー73の後面に先端部が磁石79の中心に位置する支持溝76を形成して、同支持溝76の先端部に当接させた支持体71でホルダー73を支持するようにしているため、ピックアップ装置64におけるホルダー73の支持構造を簡単なものとすることができ、ピックアップ装置64の組立作業性やメンテナンス作業性を向上させることができる。
【００６５】
また、本実施例では、磁石79として一対の左チャンネル用磁石77,77と右チャンネル用磁石78,78を用いているため、レコード盤のレコード溝に記録されたステレオ音声を左右のチャンネルとも忠実に再現することができる。
【００６６】
（第８実施例）
図13は、第８実施例としてのホルダー86を示した図であり、同ホルダー86は、１個のリング状の磁石87を埋設してものであり、第７実施例（図10参照）の構造を簡略化したものである。
【００６７】
本実施例においても、ホルダー86の前面にカンチレバー88の基端部を取付ける一方、ホルダー86の後面に支持溝89を形成している。図中、90は針先である。
【００６８】
（第９実施例）
図14〜図16は、第９実施例としてのカートリッジ式のピックアップ装置91を示した図であり、同ピックアップ装置91は、ケーシング92の内部に二股状のヨーク93を収容配設し、同ヨーク93の中途部にコイル94をそれぞれ配設しており、ケーシング92の前端下部には、カートリッジ93を着脱自在に配設している。図中、95は接続端子、96はリード線である。
【００６９】
カートリッジ93は、前後方向に伸延させた中空箱型状のカートリッジケース97の内部に磁石98をゴム製のダンパー99を介して変位自在に取付け、同磁石98の前端部に前後方向に向けて伸延させたカンチレバー100の基端部を取付けている。図中、101は針先である。
【００７０】
磁石98の上面中央部には、先端を磁石98の中心に位置させた円錐状の支持溝102を形成しており、同支持溝102には、ケーシング92に上下方向へ向けて進退自在に螺設した支持体103の先端部を当接している。
【００７１】
このように、本実施例では、支持体103で磁石98を変位自在に支持しており、磁石98は、支持溝102の先端（かつ、支持体103の先端）を支点として変位することになる。
【００７２】
したがって、本実施例でも、磁石98は、変位時の支点となる支持溝102の先端を磁石98の中心に位置させているため、磁石98の中心位置を支点として変位することになり、レコード溝の凹凸に沿って磁石98が変位する際に、磁石98の中心と支点とが一致しており、磁石98の変位をレコード溝の凹凸に完全に追従させることができこれにより、レコード盤に記録された音声を忠実に再現することができる。
【００７３】
なお、本実施例では、支持体103で磁石98を上側から支持しているが、是に限られず、支持体103で磁石98を下側から支持する構造としてもよい。
【００７４】
（第１０実施例）
図18は、第10実施例としてのカートリッジ式のピックアップ装置のカートリッジ104を示した図であり、同カートリッジ104は、前後方向に伸延させた中空箱形状のカートリッジケース105の内部に磁石106を２種類のゴム製のダンパー107,108を介して変位自在に取付け、同磁石106の前端部に前後方向に向けて伸延させたカンチレバー109の基端部を取付けている。図中、110は針先である。
磁石106は、磁石106の中心部が比較的硬い弾性体からなるダンパー107で支持されており、一方、磁石106の中心の周辺部が比較的柔らかい弾性体からなるダンパー108で支持されている。
【００７５】
このように、本実施例では、磁石106の中心部を弾性体で支持するとともに、磁石106の中心の周辺部を前記弾性体よりも柔らかい弾性体で支持しているため、磁石106の中心部よりも周辺部のほうが変位しやすくなっており、これによっても、磁石106の中心位置で磁石106を変位させることができ、磁石106の中心の位置と支点の位置とを一致させることができる。
【００７６】
しかも、本実施例では、ピックアップ装置における磁石106の支持構造を簡単なものとすることができ、ピックアップ装置の組立作業性やメンテナンス作業性を向上させることができる。
【００７７】
（第１１実施例）
図19は、第11実施例としてのピックアップ装置111を示した図であり、同ピックアップ装置111は、前後に伸延させた棒状の磁石112の前端部に板状のフロントヨーク113の上端部を取付ける一方、磁石112の後端部に板状のリヤヨーク114の上端部を取付け、同リヤヨーク114の下端部に前後に伸延させた支持ヨーク115の基端部を取付け、同支持ヨーク115の先端部にホルダー116をゴム製のダンパー117を介して変位自在に取付け、同ホルダー116に前後に伸延させたカンチレバー118を取付け、同カンチレバー118の先端部に針先119を形成しており、ホルダー116には、コイル120を巻回している。図中、121はカンチレバー118を挿通させるためにフロントヨーク113に形成した挿通孔であり、122はカンチレバー118の基端部とリヤヨーク114との間に張設したテンションワイヤーであり、123はテンションワイヤー122の張力を調整するための調整ネジである。
【００７８】
コイル120を巻回したホルダー116は、コイル120の中心部にダンパー124を取付け、同ダンパー124を、支持ヨーク115の先端部に取付けた非磁性体からなる支持体125で支持している。
【００７９】
そして、本実施例では、コイル120の中心部を比較的硬い弾性体からなるダンパー124で支持する一方、コイル120の中心の周辺部を比較的柔らかい弾性体からなるダンパー117で支持している。
【００８０】
このように、本実施例では、コイル120の中心部を弾性体で支持するとともに、コイル120の中心の周辺部を前記弾性体よりも柔らかい弾性体で支持しているため、コイル120の中心部よりも周辺部のほうが変位しやすくなっており、これによっても、コイル120の中心位置でコイル120を変位させることができ、コイル120の中心の位置と支点の位置とを一致させることができる。
【００８１】
しかも、本実施例では、ピックアップ装置におけるコイル120の支持構造を簡単なものとすることができ、ピックアップ装置の組立作業性やメンテナンス作業性を向上させることができる。
【発明の効果】
【００８２】
請求項１記載の本発明では、コイル又は磁石が、コイルの場合は、当該コイルで囲まれた領域の中央であってコイルの奥行き方向の中央である中心位置を支点として、磁石の場合は、当該磁石の中心位置、環状の磁石の中央であって当該磁石の厚さ方向の中央である中心位置、若しくは距離を隔てて環状に配置した複数の磁石の中央であって各磁石の厚さ方向の中央である中心位置を支点として変位するように支持されているため、レコード溝の凹凸に沿ってホルダーに設けたコイル又は磁石が変位する際に、コイルの場合は、当該コイルで囲まれた領域の中心と支点とが一致しており、磁石の場合は、当該磁石の中心、環状の磁石の中央であって当該磁石の厚さ方向の中央である中心、若しくは距離を隔てて環状に配置した複数の磁石の中央であって各磁石の厚さ方向の中央である中心と支点とが一致しており、コイル又は磁石の変位をレコード溝の凹凸に完全に追従させることができこれにより、レコード盤に記録された音声を忠実に再現することができる。
【００８３】
しかも、コイル又は磁石が変位する際の支点と、コイルの場合は、当該コイルで囲まれた領域の中央であってコイルの奥行き方向の中央である中心とが一致しており、磁石の場合は、当該磁石の中心、環状の磁石の中央であって当該磁石の厚さ方向の中央である中心、若しくは距離を隔てて環状に配置した複数の磁石の中央であって各磁石の厚さ方向の中央である中心とが一致していることから、コイル又は磁石の変位から電気信号に変換する際に生じる損失を可及的に低減することができ、発電効率を向上させることができる。
【００８４】
請求項２記載の本発明では、コイル又は磁石がカンチレバーの基端部に連設したホルダーに配設されているため、コイルの場合は、当該コイルで囲まれた領域の中央であってコイルの奥行き方向の中央である中心位置を支点として、磁石の場合は、環状の磁石の中央であって当該磁石の厚さ方向の中央である中心、若しくは距離を隔てて環状に配置した複数の磁石の中央であって各磁石の厚さ方向の中央である中心位置を支点として変位するように支持することが容易に行え、しかも、コイル又は磁石が変位する際の支点と、コイルの場合は、当該コイルで囲まれた領域の中央であってコイルの奥行き方向の中央である中心とが一致しており、磁石の場合は、環状の磁石の中央であって当該磁石の厚さ方向の中央である中心、若しくは距離を隔てて環状に配置した複数の磁石の中央であって各磁石の厚さ方向の中央である中心とが一致していることから、コイル又は磁石の変位から電気信号に変換する際に生じる損失を可及的に低減することができ、発電効率を向上させることができるために、ホルダーに磁性体を使用しなくてもよくなり、ピックアップ装置のコストを増大させることがなく、また、ホルダー自体の重量を低減させることができ、ホルダーを円滑に変位させることができるので、コイル又は磁石の変位をレコード溝の凹凸に完全に追従させることができ、これによってもレコード盤に記録された音声を忠実に再現することができる。
【００８５】
請求項３記載の本発明では、ホルダーには、前記当該磁石の中心位置を除くいずれかの中心位置にその先端部を位置させた支持溝が形成されており、ホルダーは、前記支持溝の先端部に当接させた支持体で支持されているため、ピックアップ装置におけるホルダーの支持構造を簡単なものとすることができ、ピックアップ装置の組立作業性やメンテナンス作業性を向上させることができる。
【００８６】
請求項４記載の本発明では、ホルダーを支持する支持体が支持溝の先端部に向けて進退移動できるようになっているため、支持体と支持溝との間の当接力を調節することができ、これによってもピックアップ装置のメンテナンス作業性を向上させることができる。
【００８７】
請求項５記載の本発明では、支持溝の表面に補強体を被覆しているため、ホルダーの変位によって支持溝の表面が磨耗して変形してしまうのを未然に防止することができ、長期間にわたってコイル又は磁石の変位をレコード溝の凹凸に追従させることができ、ピックアップ装置の長寿命化を図ることができる。
【００８８】
請求項６記載の本発明では、コイル又は磁石が、前記コイル又は磁石の中心部が弾性体で支持されているとともに、前記コイル又は磁石の中心の周辺部が前記弾性体よりも柔らかい弾性体で支持されているため、ピックアップ装置におけるコイル又は磁石の支持構造を簡単なものとすることができ、ピックアップ装置の組立作業性やメンテナンス作業性を向上させることができる。
【００８９】
請求項７記載の本発明では、コイル又は磁石として一対の左チャンネル用コイル又は磁石と右チャンネル用コイル又は磁石を用いているため、レコード盤のレコード溝に記録されたステレオ音声を左右のチャンネルとも忠実に再現することができる。
【００９０】
請求項８記載の本発明では、一対の左チャンネル用コイルと右チャンネル用コイルとを各コイルで囲まれる領域それぞれの中心を一致させた状態でホルダーに巻回しているため、これによっても、レコード盤のレコード溝に記録されたステレオ音声を左右のチャンネルとも忠実に再現することができる。
【図面の簡単な説明】
【００９１】
【図１】本実施例に係るピックアップ装置の断面図。
【図２】ホルダーを示す正面側斜視図。
【図３】同背面側斜視図。
【図４】第２実施例としてのホルダーを示す背面側斜視図。
【図５】第３実施例としてのホルダーを示す背面側斜視図。
【図６】第４実施例としてのホルダーを示す断面図。
【図７】第５実施例としてのピックアップ装置を示す断面図。
【図８】第６実施例としてのピックアップ装置を示す断面図。
【図９】第７実施例としてのピックアップ装置を示す断面図。
【図１０】ホルダーを示す正面斜視図。
【図１１】同断面図。
【図１２】ヨークを示す正面斜視図。
【図１３】第８実施例としてのホルダーを示す正面斜視図。
【図１４】第９実施例としてのピックアップ装置を示す断面側面図。
【図１５】同正面図。
【図１６】カートリッジを示す斜視図。
【図１７】ホルダーを示す断面図。
【図１８】第10実施例としてのカートリッジを示す断面側面図。
【図１９】第11実施例としてのピックアップ装置を示す断面側面図。
【図２０】従来のピックアップ装置を示す断面図。
【図２１】ホルダーを示す正面斜視図。
【符号の説明】
【００９２】
１    ピックアップ装置
２    磁石
３    フロントヨーク
４    リヤヨーク
５    支持ヨーク
６    ホルダー
９  支持体
１１    カンチレバー
１２    左チャンネル用コイル
１３    右チャンネル用コイル
２０    支持溝
【図１】
0003662915.tif 000002
【図２】
0003662915.tif 000003
【図３】
0003662915.tif 000004
【図４】
0003662915.tif 000005
【図５】
0003662915.tif 000006
【図６】
0003662915.tif 000007
【図７】
0003662915.tif 000008
【図８】
0003662915.tif 000009
【図９】
0003662915.tif 000010
【図１０】
0003662915.tif 000011
【図１１】
0003662915.tif 000012
【図１２】
0003662915.tif 000013
【図１３】
0003662915.tif 000014
【図１４】
0003662915.tif 000015
【図１５】
0003662915.tif 000016
【図１６】
0003662915.tif 000017
【図１７】
0003662915.tif 000018
【図１８】
0003662915.tif 000019
【図１９】
0003662915.tif 000020
【図２０】
0003662915.tif 000021
【図２１】
0003662915.tif 000022